(57)【要約】【課題】  ストロボ装置用電子回路部品である発振トランスやトリガートランスより発する電磁波を、格別なシールド部材を設けずに携帯電話機の電子回路基板に対してシールドしたカメラ内蔵携帯電話機。【解決手段】  通信装置、撮像装置及びストロボ装置を備えたカメラ内蔵携帯電話機において、前記通信装置のための電子回路部品を搭載した第１のプリント配線基板と、前記ストロボ装置のための電子回路部品である発振トランスとトリガートランスとを少なくとも搭載した第２のプリント配線基板とを略平行に配置して対向させ、前記第１のプリント配線基板と前記第２のプリント配線基板との間に前記通信装置、前記撮像装置若しくは前記ストロボ装置の少なくとも何れか一つの電源となる電池を配置したこと。【選択図】        図３
2005252327.tif 000002
【特許請求の範囲】
【請求項１】
通信装置、撮像装置及びストロボ装置を備えたカメラ内蔵携帯電話機において、
前記通信装置のための電子回路部品を搭載した第１のプリント配線基板と、前記ストロボ装置のための電子回路部品である発振トランスとトリガートランスとを少なくとも搭載した第２のプリント配線基板とを略平行に配置して対向させ、前記第１のプリント配線基板と前記第２のプリント配線基板との間に前記通信装置、前記撮像装置若しくは前記ストロボ装置の少なくとも何れか一つの電源となる電池を配置したことを特徴とするカメラ内蔵携帯電話機。
【請求項２】
前記第１のプリント配線基板における電子回路部品の実装面を前記電池の一方の面に投影したとき、投影した該電子回路部品の実装面は前記電池の一方の面より小さく、
且つ、前記第２のプリント配線基板における電子回路部品の実装面を前記電池の他方の面に投影したとき、投影した該電子回路部品の実装面は前記電池の他方の面より小さいことを特徴とする請求項１に記載のカメラ内蔵携帯電話機。
【請求項３】
少なくとも前記電池と前記第２のプリント配線基板とをユニット化したことを特徴とする請求項１又は請求項２に記載のカメラ内蔵携帯電話機。
【請求項４】
通信装置、撮像装置若しくはストロボ装置のうち少なくとも前記ストロボ装置の電源となる電池と、前記ストロボ装置のための電子回路部品である発振トランスとトリガートランスとを少なくとも搭載したプリント配線基板とをユニット化し、カメラ内蔵携帯電話機に装着可能としたことを特徴とするカメラ内蔵携帯電話機用ユニット。
【請求項５】
前記プリント配線基板における電子回路部品の実装面を前記電池の面に投影させたとき、投影した電子回路部品の実装面は前記電池の面より小さいことを特徴とする請求項４に記載のカメラ内蔵携帯電話機用ユニット。
【請求項６】
前記プリント配線基板にストロボ発光部を設けたことを特徴とする請求項４又は請求項５に記載のカメラ内蔵携帯電話機用ユニット。
【請求項７】
前記電池及び前記プリント配線基板を被覆する電池蓋を前記電池及び前記プリント配線基板と共にユニット化したことを特徴とする請求項４〜６の何れか１項に記載のカメラ内蔵携帯電話機用ユニット。
【請求項８】
前記電池は充電式電池であることを特徴とする請求項４〜７の何れか１項に記載のカメラ内蔵携帯電話機用ユニット。
【発明の詳細な説明】
【技術分野】
【０００１】
本発明は、ストロボ装置を備えたカメラ内蔵携帯電話機及びカメラ内蔵携帯電話機用ユニットに関する。
【背景技術】
【０００２】
近年は携帯電話機にデジタルカメラ機能を有する撮像装置が内蔵されるようになり、音声情報や文字情報だけでなく、画像情報も通信できるようになってきた。また、低輝度で撮影するときの補助光としてＬＥＤを用いたカメラ内蔵携帯電話機が多数市販されている。但し、ＬＥＤでは充分な光量が得られず、暗い被写体では露出不足になるという問題がある。
【０００３】
そこで、補助光としてストロボ装置をカメラ内蔵携帯電話機に内蔵することが検討されている。しかし、ストロボ装置のための電子回路部品である発振トランスやトリガートランスから充電時や発光時に発生した電磁波が、携帯電話機のプリント配線基板、特にプリント配線基板に搭載されて各自が設定した通信機能や電話番号等を記憶したメモリや携帯電話機を制御するＣＰＵに到達すると、携帯電話機が誤作動したり、各自が設定した個人情報に悪影響を及ぼしたりする恐れがある。
【０００４】
なお、カメラ付き携帯電話機にストロボ装置を内蔵した特許公報が開示されている。同公報には、被写体画像を表示する表示手段及びストロボ装置の発光部と、携帯電話機のプリント配線基板とを電磁シールド部材を介してセパレートして、表示手段やストロボ装置が発する電磁波がプリント配線基板に到達しないようにし、携帯電話機が電磁波によって誤作動をすることを防止する構成が記載されている。
【特許文献１】特開２００１−３２０６２２号公報
【発明の開示】
【発明が解決しようとする課題】
【０００５】
ストロボ装置の充電時や発光時に発生する電磁波は主として発振トランスやトリガートランスから発生する。従って、携帯電話機のプリント配線基板に電磁波が到達して携帯電話機が誤作動したりメモリに悪影響が及ぼすことがないようにするためには、発振トランスやトリガートランスを携帯電話機のプリント配線基板に対してシールドする必要がある。
【０００６】
しかしながら、特許文献１においては、被写体画像を表示する液晶ディスプレイ（表示手段）及びストロボ装置の発光部をシールドしているが、発振トランスやトリガートランスについては言及されていない。しかし、同文献の図４において、携帯電話機全体を統括制御する情報処理手段が実装されているプリント配線基板にメインコンデンサが搭載されるように描かれているので、同一のプリント配線基板に携帯電話機用電子回路部品とストロボ装置用電子回路部品とが搭載されているものと推測できる。そうであるとすると、発振トランスやトリガートランスから直接発生する電磁波に対して前記情報処理手段は全く無防御の状態である。
【０００７】
本発明はかかる問題に鑑みてなされたものであり、ストロボ装置用電子回路部品である発振トランスやトリガートランスより発する電磁波を、格別なシールド部材を設けずに携帯電話機の電子回路基板に対してシールドしたカメラ内蔵携帯電話機及びカメラ内蔵携帯電話機用ユニットを提供することを目的とする。
【課題を解決するための手段】
【０００８】
上記目的は下記の手段によって達成される。
【０００９】
（１）通信装置、撮像装置及びストロボ装置を備えたカメラ内蔵携帯電話機において、
前記通信装置のための電子回路部品を搭載した第１のプリント配線基板と、前記ストロボ装置のための電子回路部品である発振トランスとトリガートランスとを少なくとも搭載した第２のプリント配線基板とを略平行に配置して対向させ、前記第１のプリント配線基板と前記第２のプリント配線基板との間に前記通信装置、前記撮像装置若しくは前記ストロボ装置の少なくとも何れか一つの電源となる電池を配置したことを特徴とするカメラ内蔵携帯電話機。
【００１０】
（２）通信装置、撮像装置若しくはストロボ装置のうち少なくとも前記ストロボ装置の電源となる電池と、前記ストロボ装置のための電子回路部品である発振トランスとトリガートランスとを少なくとも搭載したプリント配線基板とをユニット化し、カメラ内蔵携帯電話機に装着可能としたことを特徴とするカメラ内蔵携帯電話機用ユニット。
【発明の効果】
【００１１】
本発明のカメラ内蔵携帯電話機及びカメラ内蔵携帯電話機用ユニットによれば、ストロボ装置用電子回路部品である発振トランスやトリガートランスより発する電磁波を、格別なシールド部材を設けずに携帯電話機の電子回路基板に対してシールドすることができる。
【００１２】
また、カメラ内蔵携帯電話機用ユニットによれば、異なる形状の携帯電話機でもストロボ装置を共通に搭載でき、原価低減になる。
【発明を実施するための最良の形態】
【００１３】
本発明のカメラ内蔵携帯電話機及びカメラ内蔵携帯電話機用ユニットに関する実施の形態を、図１乃至図５を参照して説明する。
【００１４】
図１はカメラ内蔵携帯電話機の操作時における内側の正面図、図２はカメラ内蔵携帯電話機の操作時における外側の正面図、図３は第１のプリント配線基板と電池と第２のプリント配線基板の斜視図、図４はカメラ内蔵携帯電話機用ユニットの斜視図、図５はストロボ装置の回路図である。
【００１５】
図１，２に示すカメラ内蔵携帯電話機（以下、携帯電話機と言う）は、上筐体１と下筐体２とからなり、非使用時には両者を接続するヒンジ部３によって図１に示す面が内側になるように折り畳むことができる。
【００１６】
なお、本発明における携帯電話機は、上筐体１と下筐体２とを折り畳む形式の携帯電話機に限定されるものではなく、上筐体１と下筐体２とを一体に形成して折り畳みができない携帯電話機であってもよい。
【００１７】
図１に示す如く、上筐体１の内面には液晶ディスプレイからなる表示部１１が配置され、通信のときには電話番号を始め、各種の送受信モードに応じた内容が表示され、撮影のときには被写体が表示されるので構図を決定することができる。下筐体２の内面は電話番号等を入力するテンキイ２１と、通信及び撮影のときに各種のモードを選択し決定する多数のソフトキイ２２が配置されている。
【００１８】
図２に示す如く、上筐体１の外面には撮影レンズ１２と、伸縮自在のアンテナ１３が配置されている。また、下筐体２の外面にはストロボ発光部３２ａが電池蓋２３に設けた孔より露出している。
【００１９】
通信のときには、周知の如くテンキイ２１により電話番号を押したり、ソフトキイ２２の操作によって内部メモリから予め記憶した電話番号を呼び出したりして表示部１１に表示し、送信することができる。また、ソフトキイ２２の操作によって受信することもできる。
【００２０】
撮影のときには、ソフトキイ２２を操作して撮影モードにすると、撮影レンズ１２によって受像した被写体の画像が表示部１１に表示されるので、撮影レンズ１２を被写体に向けて表示部１１を見ながら構図を決定した後に、レリーズ用に予め決められたボタン（例えば、ソフトキイ２２の中の決定キイ２２ａ）を押せば撮影ができる。そして、撮影された画像は内部のメモリに記憶され、適宜表示部１１に表示することができる。また、不要の画像は消去することができる。
【００２１】
夜間や室内の低輝度の状態で被写体が暗いときには、ソフトキイ２２を操作してストロボ撮影モードにする。すると、ストロボ回路のメインコンデンサが充電され、決定キイ２２ａの押圧操作によって撮影時にストロボ発光部３２ａよりストロボ光が照射される。
【００２２】
次に、内部のプリント配線基板と電池とについて説明する。
【００２３】
図３において、３１は、一般通話、ｉモードでの受信、Ｅメールの送受信等の通信を行う通信装置のための電子回路部品、携帯電話機全体を制御するＣＰＵ、及び各自が設定した通信機能や電話番号等を記憶したメモリを搭載したプリント配線基板（第１のプリント配線基板）である。なお、デジタルカメラ機能を有する撮像装置のための電子回路部品は上筐体１内部に配置された不図示のプリント配線基板に搭載されている。
【００２４】
３２は、ストロボ光を発光するストロボ装置のための電子回路部品を搭載したプリント配線基板（第２のプリント配線基板）であり、プリント配線基板３２にはストロボ発光部３２ａ、メインコンデンサ３２ｂ、発振トランス３２ｃ、トリガートランス３２ｄ等が搭載されている。
【００２５】
３３は通信装置、撮像装置及びストロボ装置の共通電源となる電池であり、充電式のリチウムイオン電池である。
【００２６】
ここで図３に示す如く、プリント配線基板３１とプリント配線基板３２は略平行に配置されて対向していると共に、プリント配線基板３１とプリント配線基板３２の間に電池３３が配置されている。そして、プリント配線基板３１における電子回路部品の実装面を電池３３の一方の面３３ａに投影したとき、投影した該電子回路部品の実装面は電池３３の一方の面３３ａより小さい。また、プリント配線基板３２における電子回路部品の実装面を電池３３の他方の面３３ｂに投影したとき、投影した該電子回路部品の実装面は電池３３の他方の面３３ｂより小さい。
【００２７】
なお、図３においては、各部材の形状を明瞭にするために、各々の部材を離して描いてあるが、実際には可能な限り近接している。
【００２８】
従って、ストロボ装置の充電時に発振トランス３２ｃより発したり、ストロボ光の発光時にトリガートランス３２ｄより発したりする電磁波は、電池３３が障壁即ちシールド部材となって、プリント配線基板３１に設けたメモリやＣＰＵに到達することがない。依って、格別なシールド部材を設けずとも、携帯電話機が誤作動したり、各自が設定した個人情報に悪影響を及ぼしたりすることを防止できる。
【００２９】
なお、電池３３は、通信装置、撮像装置若しくはストロボ装置の何れかの電源であってもよいが、通信装置、撮像装置及びストロボ装置の全ての共通電源であることが望ましい。
【００３０】
また、電池３３は、充電式であることが望ましい。この場合には、図４に示す如く、プリント配線基板３２、電池３３及び電池蓋２３を一体化して、カメラ内蔵携帯電話機用ユニットとしてもよい。このようにユニット化することにより、異なる形状の携帯電話機でもストロボ装置を共通に搭載でき、原価低減になる。
【００３１】
なお、図４においてはプリント配線基板３２と電池蓋２３を離して描いてあるが、プリント配線基板３２を明瞭にするためであり、実際には電池蓋２３を近接させてプリント配線基板３２を被覆する。
【００３２】
また、プリント配線基板３２には高圧の電圧がかかるので、感電防止のために電池蓋２３で被覆して一体化したが、場合によっては別部材で感電防止の被覆を行って、電池蓋２３はユニットとしなくてもよい。
【００３３】
最後に、ストロボ装置の回路図の１例を図５に示す。
【００３４】
図５において、外部操作によりメインスイッチＳ1，Ｓ2をオンにすると、電池Ｂ（３３）の電流が抵抗Ｒ1を介してトランジスタＴRに流れて発振を開始し、発振トランスＴの二次側は３００〜３５０Ｖの高圧に昇圧される。この二次側の電流をダイオードＤによって整流し、抵抗Ｒ3と直列に接続されたトリガーコンデンサＣT及びメインコンデンサＣMを充電する。メインコンデンサＣMが所定の電圧に充電されると、抵抗Ｒ2と直列に接続された発光ダイオードＤLが点灯する。なお、発光ダイオードを点灯させずに、充電完了したことを表示部１１に表示してもよい。
【００３５】
撮影のときには、露光動作に連動してトリガースイッチＳTがオンになる。これによって、トリガーコンデンサＣT、トリガースイッチＳT、トリガートランスＴCの一次側、及びメインスイッチＳ1，Ｓ2によって閉回路が形成され、トリガーコンデンサＣTに充電されていた電荷がトリガートランスＴCの一次側に放電する。この結果、トリガートランスＴCの二次側には更なる高圧が発生し、キセノン管Ｘｅのトリガー電極に印加されるので、キセノン管Ｘｅの中のイオン化されたキセノン原子が陰極より飛び出した電子と衝突して励起され、メインコンデンサＣMの放電に伴ってキセノン管Ｘｅは発光する。
【図面の簡単な説明】
【００３６】
【図１】カメラ内蔵携帯電話機の操作時における内側の正面図である。
【図２】カメラ内蔵携帯電話機の操作時における外側の正面図である。
【図３】第１のプリント配線基板と電池と第２のプリント配線基板の斜視図である。
【図４】カメラ内蔵携帯電話機用ユニットの斜視図である。
【図５】ストロボ装置の回路図である。
【符号の説明】
【００３７】
１１  表示部
２１  テンキイ
２２  ソフトキイ
２３  電池蓋
３１，３２  プリント配線基板
３２ａ  ストロボ発光部
３２ｃ  発振トランス
３２ｄ  トリガートランス
３３  電池
【図１】
2005252327.tif 000003
【図２】
2005252327.tif 000004
【図３】
2005252327.tif 000005
【図４】
2005252327.tif 000006
【図５】
2005252327.tif 000007